(57)【要約】  本発明は、バックシート、吸収性コア、並びにカフ及び／又はトップシートを有する吸収性物品であって、前記トップシートが糞便物質を受容するための少なくとも１つの開口部を備え、前記カフ又はトップシートが典型的には少なくとも２層の不織布層を備え、不織布シート材料を備え、前記層が典型的には互いに部分的にしか付着せず、それぞれが典型的には共に積層した２層又はそれ以上の不織布ウェブを備え、その皮膚に接触する不織布層又は不織布ウェブが特定の低曲げ剛性を有し、一方全体としての不織布シートが非常に高いバリア機能を有する、吸収性物品を目的とする。
2010516376.tif 000002
【特許請求の範囲】
【請求項１】
バックシート、吸収性コア及びトップシートを備えた吸収性物品であって、前記トップシートが糞便を受容するための少なくとも１つの開口部を有し、前記トップシートが、少なくとも１つが皮膚に面する不織布層又は不織布ウェブである、２つ以上の不織布層又は不織布ウェブを含む不織布シートを備え、前記皮膚に面する不織布ウェブ又は不織布層が２０ｇ以下の曲げ剛性を有し、及び／又は、前記不織布シートが３５ｇ未満の曲げ剛性を有し、及び、前記不織布シートが少なくとも１．８ｋＰａ（１８ｍｂａｒ）の静水頭（本明細書に記載のように、４９ｍＮ／ｍの液体を用いて測定する）を有する、吸収性物品。
【請求項２】
バックシート、吸収性コア及びトップシートを備えた吸収性物品であって、前記トップシートが糞便を受容するための少なくとも１つの開口部を有し、前記トップシートが、少なくとも１つが皮膚に面する不織布層又は不織布ウェブである、２つ以上の不織布層又は不織布ウェブを含む不織布シートを備え、前記皮膚に面する不織布ウェブ又は不織布層が２０ｇ以下の曲げ剛性を有し、及び／又は、前記不織布シートが３５ｇ未満の曲げ剛性を有し、及び、前記不織布シートが少なくとも３０秒の低表面張力裏抜け値を有する、吸収性物品。
【請求項３】
バックシート、吸収性コア及びトップシートを備えた吸収性物品であって、前記トップシートが糞便を受容するための少なくとも１つの開口部を有し、前記トップシートが不織布シートを備え、前記不織布シートが互いに完全には付着していない、好ましくは６０％以下の付着領域を有する、少なくとも２つの不織布層を備え、それぞれが互いに積層した２つ以上の不織布ウェブを備え、不織布シートがナノ繊維及び／又はメルトブロウン繊維を備え、前記メルトブロウン繊維が好ましくは少なくとも５ｇ／ｍ２の水準で存在し、不織布シートが４０ｇ／ｍ２以下、又は好ましくは３０ｇ／ｍ２以下の単位重量を有する、吸収性物品。
【請求項４】
前記不織布シートが、それぞれが共に積層した２つ以上の不織布ウェブを含む２つ以上の不織布層を備え、該２つ以上の不織布層が互いに部分的にしか付着せず、好ましくは少なくとも２．５×２．５ｃｍの非付着領域を有する、請求項１又は２に記載の吸収性物品。
【請求項５】
前記不織布層が４０％以下の付着領域を有する、請求項３又は４に記載の吸収性物品。
【請求項６】
前記不織布シートが、それぞれが２つ以上の不織布ウェブを含む２つ以上の不織布層を備え、各不織布層がメルトブロウン繊維及び／又はナノ繊維を備え、前記不織布シートが４５ｇ／ｍ２未満、若しくは好ましくは３０ｇ／ｍ２以下の単位重量を有し、及び／又は前記不織布層が２５ｇ／ｍ２以下の単位重量を有する、請求項１又は２に記載の吸収性物品。
【請求項７】
各不織布層が、少なくとも３ｇ／ｍ３、又は好ましくは少なくとも５ｇ／ｍ２のメルトブロウン繊維、及び／又は少なくとも２ｇ／ｍ３のナノ繊維を含む、請求項６に記載の吸収性物品。
【請求項８】
前記不織布シートが少なくとも３ｋＰａ（３０ｍｂａｒ）の静水頭を有する、請求項１〜７のいずれか一項に記載の吸収性物品。
【請求項９】
前記皮膚に面する不織布層若しくは不織布ウェブが、１４ｇ以下の曲げ剛性を有し、及び／又は、前記不織布シートが２５ｇ未満の曲げ剛性を有する、請求項１〜８のいずれか一項に記載の吸収性物品。
【請求項１０】
前記皮膚に面する不織布ウェブ又は前記皮膚に面する不織布層に含まれる前記皮膚に面する不織布ウェブが、スパンボンドウェブであり、平均繊維方向の繊維を備え、前記ウェブが２０ｇ以下、好ましくは１６ｇ以下又は１４ｇ以下の前記繊維方向における曲げ剛性を有する、請求項１〜９のいずれか一項に記載の吸収性物品。
【請求項１１】
前記不織布シートが５５秒を超える低表面張力裏抜け値を有する、請求項１〜１０のいずれか一項に記載の吸収性物品。
【請求項１２】
前記トップシートが、長手方向に対向する側縁部を有するスリット開口部の形の開口部を有し、少なくとも１対の弾性要素を備え、その少なくとも１つの弾性要素が各長手方向に延在する側縁部に沿って又は各長手方向に延在する側縁部に近接して存在する、請求項１〜１１のいずれか一項に記載の吸収性物品。
【請求項１３】
２つ以上の不織布層又は不織布ウェブを含む不織布シートを有する、１又は複数のレッグカフ及び／又はバリアカフを備えた吸収性物品であって、少なくとも１つの不織布層又は不織布ウェブが１６ｇ以下の曲げ剛性を有し、前記不織布シートが少なくとも１．８ｋＰａ（１８ｍｂａｒ）、好ましくは少なくとも２ｋＰａ（２０ｍｂａｒ）の静水頭（本明細書で記載のように４９ｍＮ／ｍの液体を用いて測定する）を有する、吸収性物品。
【請求項１４】
前記不織布シートが少なくとも３ｇ／ｍ３、若しくは好ましくは少なくとも５ｇ／ｍ２のメルトブロウン繊維、及び／又は、少なくとも２ｇ／ｍ２のナノ繊維を備えた、請求項１４に記載の吸収性物品。
【請求項１５】
前記不織布シートが、シリコーンポリマー又はフッ素化ポリマーから選択される、バリア剤のコーティングを備えた、請求項１〜１４のいずれか一項に記載の吸収性物品。
【発明の詳細な説明】
【技術分野】
【０００１】
本発明は、バックシート、吸収性コア並びにカフ及び／又はトップシートを有する吸収性物品であって、前記トップシートが糞便物質を受容するように構成された少なくとも１つの開口部（肛門／生殖器用カフとも呼ばれる）を有し、前記カフ又はトップシートが少なくとも２つの不織布層又は不織布ウェブを備えた不織布シート材料を備え、前記層が典型的には互いに部分的にしか付着せず、その皮膚に接触する不織布層又は不織布ウェブが特定の低曲げ剛性を有し、一方全体としての不織布シートは非常に高度なバリア機能を有する吸収性物品を目的とする。
【背景技術】
【０００２】
糞便物質は、ユーザの皮膚から、特に幼い新生児のような敏感な皮膚及び生殖器周辺の皮膚上では、除去が困難である場合が多いことが周知である。その上、皮膚上の糞便物質は、皮膚の炎症及び発赤、並びにときには皮膚炎さえも引き起こす恐れがあることも周知である。
【０００３】
皮膚上の糞便物質を低減する解決策の１つは、排泄直後に糞便物質を皮膚から離し隔離する手段を設けることである。例えば、それを通して糞便がトップシートと吸収性コアとの間の空間に移動することができる、肛門及び／又は生殖器用カフとも呼ばれる、開口部を備えるトップシートを含むおむつが開発されている。糞便物質は、その結果、このトップシートの下に皮膚から離れて格納される。
【０００４】
一旦、開口部を通して受容された糞便を、物品を交換する人間の目に触れない、すなわち、トップシートが糞便を覆い隠すことが望ましいと見出されている。これは、例えば、格納された糞便によりトップシートを再湿潤させないために、非常に高い撥アルコール性を有する疎水性トップシートについて記載されている、同時係属出願である、欧州特許出願公開第１４１７９４５（Ａ）号に記載されている。
【先行技術文献】
【特許文献】
【０００５】
【特許文献１】欧州特許出願公開第１４１７９４５（Ａ）号
【発明の概要】
【発明が解決しようとする課題】
【０００６】
発明者らは、これまでに、良好なバリアを提供する材料は多くの場合、厚すぎる又は堅すぎる恐れがあるため、使用中それ程快適ではないことを見出している。発明者らは、肛門及び／又は生殖器用カフとも呼ばれるトップシートだけでなく、バリアカフ及びレッグカフのような他のカフも、糞便に対する優れたバリアを提供し、格納された糞便による皮膚の再湿潤を避ける又は低減するだけでなく、同時に、敏感な（新生児の）皮膚に対して非常に柔らかく、しなやかであることも望ましい場合があることを見出した。発明者らは、同時にこれらの特性の両方を実現する新規手段を見出した、具体的には、本明細書の１つの実施形態では、発明者らは、不織布材料が２つ以上の薄層から形成され、そのうちの皮膚と接触する層が特定の柔軟性を有し、一方他の層、又は全体としての材料が必要なバリア特性を提供し、上記のように性能の改善をもたらすことを見出した。
【課題を解決するための手段】
【０００７】
本発明は、典型的には、排泄物を受容するために１つまたは複数の開口部を有するトップシートを備える吸収性物品であって、トップシートが、少なくとも１つが皮膚に面する（及び、典型的には、皮膚に接触する）不織布層又は不織布ウェブ（使用中、ユーザの皮膚に面し、典型的には接触する）である、２つ以上の不織布層又は不織布ウェブを含む不織布シートを備え、皮膚に面する不織布層が２０ｇ以下、若しくは１６ｇ以下、若しくは１４ｇ以下、若しくは１２以下の曲げ剛性（本明細書で記載する方法により測定するとき）を有し、並びに／又は、全体としての不織布シートが２５ｇ未満若しくは２０ｇ未満の曲げ剛性を有し、不織布シートが少なくとも１．８ｋＰａ（１８ｍｂａｒ）、好ましくは少なくとも２ｋＰａ（２０ｍｂａｒ）（若しくは少なくとも２．５ｋＰａ（２５ｍｂａｒ）、若しくは少なくとも３ｋＰａ（３０ｍｂａｒ））の静水頭（本明細書で記載する方法により測定するとき）、及び／若しくは、少なくとも３０秒、若しくは少なくとも５５秒の低表面張力裏抜け値を有する、吸収性物品に関する。
【０００８】
１つの実施形態では、不織布シートは、好ましくは２つ以上の不織布層を備え、これらのうち２つは互いに部分的にしか付着せず、すなわち、完全には積層せず、例えば６０％以下若しくは４０％以下（本明細書で定義するように）の付着面積を有し、及び／又は、好ましくは前記２つ以上の不織布ウェブがそれぞれ２つ以上の積層された不織布ウェブを備える（及び、前記２つ以上の不織布積層層は、上記のように、互いに部分的にしか付着しない）。
【０００９】
本明細書に記載するように、２つ（又はそれ以上）の不織布層が部分的にしか付着せず、完全には積層しない場合に、優れたバリア特性及び柔軟性及びたわみ性（flexibility）を、得られうることが分かっている。
【００１０】
本発明はまた、典型的には上記のような、２つ以上の不織布層又は不織布ウェブを備え、そのうち少なくとも１つの不織布層又は不織布ウェブが、１６ｇ以下、好ましくは１２ｇ以下の曲げ剛性を有する、不織布シートを備えた１又は複数のレッグ及び／又はバリアカフを備える吸収性物品であって、前記不織布シートが少なくとも１．８ｋｐａ（１８ｍｂａｒ）、好ましくは少なくとも２ｋＰａ（２０ｍｂａｒ）（又は、少なくとも２．５ｋＰａ（２５ｍｂａｒ）、又は少なくとも３ｋｐａ（３０ｍｂａｒ）の静水頭（本明細書に記載する方法により、４９ｍＮ／ｍの液体で測定した）を有し、前記２つ以上の不織布層が好ましくは２つ以上の積層不織布ウェブを備え、前記層が互いに部分的にしか付着せず、すなわち、完全には積層せず、例えば６０％以下又は４０％以下の付着面積を有する、吸収性物品に関する。
【図面の簡単な説明】
【００１１】
【図１】好ましいトップシート又は肛門／生殖器用カフを備える、本発明の好ましい吸収性物品の斜視図。
【図２】図１の物品の平面図。
【発明を実施するための形態】
【００１２】
本明細書で使用するとき、次の用語は次の意味を有する。
【００１３】
本明細書で使用するとき、「吸収性物品」は、体液を吸収することができ、ユーザの生殖器及び／又は肛門に近接して配置するのに好適な（具体的には、いわゆるトレーニンパンツ又はプルアップパンツを含む成人、新生児又は乳幼児用のおむつを含む）任意の物品を意味する。
【００１４】
本明細書で使用するとき、「トップシート」は、吸収性コア（の一部）又はバックシート（の一部）上に存在し、使用中ユーザの皮膚に面する又は皮膚と接触する、任意の一体型シート又は多数の（付着した）シートであり、それはいわゆる肛門及び／又は生殖器用カフを含む。
【００１５】
本明細書で使用するとき、「前側区域」及び「後側区域」は、使用中にそれぞれ着用者の前側及び着用者の後側に最も近い２つの区域を指す。
【００１６】
本明細書で使用するとき、「空間」という用語は、少なくとも弛緩状態のときに存在する物品内の空洞であり、糞便物質のような排泄物を受け入れ収容する役割を果たし、例えば、弛緩状態において少なくとも３ｃｍ３、又は更には５ｃｍ３の体積を有する。
【００１７】
本明細書で使用するとき、「長手方向」は、構成要素又は物品の最大直線寸法に対して実質的に平行に走る方向であり、適用可能なとき、この平行線の３０°以内の方向を含む。
【００１８】
「横」又は「横断」方向は、長手方向に対して垂直であり、物品の大部分及び長手方向軸と同一平面に存在する。
【００１９】
本明細書で使用するとき、「伸長した」又は「伸長状態」は、物品又はその伸縮性トップシート又はカフが、最大長まで伸長していることを意味する。
【００２０】
本明細書で使用するとき、「弛緩した」又は「弛緩状態」は、物品をバックシートの水平面上に広げたとき、横断方向前側及び後側縁部が水平面上において平らであり、かつ、横断方向中心線若しくは軸線が水平面上にあるように、物品又はその伸縮性トップシート若しくはカフに力（重力のような自然発生的な力以外）が加えられていない状態を意味する。
【００２１】
本明細書で使用するとき、「伸縮性」は、典型的には、構成要素が、少なくとも一方向において弾力性のある弾性材料を備えることを意味する。
【００２２】
本明細書で使用するとき、「沿う」は、「少なくとも部分的に実質的に平行であり、及び隣接する」ことを意味する。隣接は、「近接」及び「接触」を含む。
【００２３】
本明細書で使用するとき、「開口部」（トップシート又は肛門／生殖器用カフに存在するとき）は、トップシートによって囲まれているがトップシート材料が存在しない領域を意味し、これは、糞便物質を受容するのに十分大きく、例えば、長さ若しくは幅が少なくとも２ｃｍである、又は、少なくとも２ｃｍ２の表面積を有する。
【００２４】
本明細書で使用するとき、「不織布ウェブ」は単一ウェブであり、一方「不織布層」は多数の不織布ウェブを含んでよく、「不織布シート」は多数の不織布層を含んでよい。
【００２５】
第１の実施形態では、本発明の吸収性物品は、糞便物質を受容するための、トップシート（２）又は１又は複数の開口部、好ましくは単一の開口部を備えた。開口部は、好ましくは、スリット開口部の形である。開口部は、好ましくは、（使用中にユーザの前側に向く）トップシートの前側区域（２０）（の一部）及びトップシートの後側区域（２２）（の一部）に存在する。好ましくは、トップシートは、トップシート及びおむつの長手方向軸に実質的に平行な長手方向寸法（長さ）を有する、スリット開口部を有する。好ましくは、（伸張状態において）トップシートの１つの（又は複数の）開口部は、開口部の長さ（又は複数の開口部の全長）の２０％〜４０％が、より好ましくは２０％〜３０％が、トップシートの横断方向軸からトップシートの前側縁部に向かって延在し、残りのパーセントがトップシートの後側縁部に向かって延在するように構成される。
【００２６】
開口部の寸法及び正確な形状は、トップシート（２）及び／又は吸収性物品のサイズに応じて変化してもよい。例えば、好ましい実施形態では、開口部は、実質的に平行な長手方向側縁部を有するスリット開口部の形であり、側縁部は、（本明細書の以降で示すように）Ｖ形状又は丸み付きＶ形状の前側縁部及び後側縁部により前側及び後側で接合し、前側のＶ形の縁部及び後側のＶ形状の縁部の両方が、２つの角度付き縁部を構成する。（完全に伸張した状態での）スリット開口部の最大長は、例えば吸収性物品の全長Ｌの、４０％〜９０％、又はより好ましくは５０％〜８０％、又は更により好ましくは、約６０％〜７０％であってよい。本明細書における開口部の平均幅は、７５％伸張した状態で、トップシートの（開口部幅を含む）平均幅の好ましくは５％〜３０％、又はより好ましくは１０％〜２５％であり、例えばサイズ４のおむつの場合、１５ｍｍ〜６０ｍｍ、より好ましくは２０ｍｍ〜４０ｍｍである。
【００２７】
本発明の吸収性物品のトップシートは、皮膚に面する表面と、皮膚に面する不織布層又は不織布ウェブを有する、すなわち使用中、皮膚に面する又は更には皮膚に（少なくとも部分的に）接触する、不織布シート材料を備える。トップシートは、表面積全体又はその一部上に不織布シートを含んでよい（しかし、例えば、ユーザの皮膚に接触する表面積の、又はトップシートの総表面積の少なくとも３０％は、本明細書に記載する不織布ウェブを備える、又はそれから成る）。
【００２８】
本発明はまた、例えば、カフの表面積の少なくとも４０％が不織布シート材料を含む、又はそれから成るように、本明細書に記載するような不織布シート材料を備える、例えば、レッグカフ（例えば３０）及び／又はバリアカフ等の、１又は複数のカフを備える吸収性物品を提供する。典型的には、吸収性物品は、物品の長手方向側縁部又はその一部に沿って、長手方向に延在し、及び、典型的には、１つのカフの長手方向縁部が物品に付着し、それにより物品のＸ−Ｙ平面（長手方向／横断方向）の外、すなわち、Ｚ方向に位置することができる、自由な長手方向縁部を有する、２つのカフを備える。カフは、典型的には、物品のＹ軸について、互いに鏡像である。
【００２９】
１つの実施形態では、本明細書のトップシート又はカフは、バリアシートである不織布シートを備え、トップシート又はカフ及び／又は不織布シートは、典型的には、少なくとも１．８ｋｐａ（１８ｍｂａｒ）、少なくとも２ｋＰａ（２０ｍｂａｒ）、少なくとも２．５ｋＰａ（２５ｍｂａｒ）、少なくとも２．８ｋＰａ（２８ｍｂａｒ）、少なくとも３ｋｐａ（３０ｍｂａｒ）、又は所望により少なくとも３．５ｋＰａ（３５ｍｂａｒ）、及び、所望により５ｋＰａ（５０ｍｂａｒ）未満又は４．５ｋＰａ（４５ｍｂａｒ）の静水頭値（本明細書で記載する静水頭試験により、４９ｍＮ／ｍの液体で測定した）を有する。本明細書で不織布シート、トップシート又はカフは、弾性材料又は、別の材料に付着している縁部を備える領域を除き、材料の任意の部分でこの値を有する場合、上記静水頭値を有すると考えられ、すなわち、測定は、弾性材料又は、別の材料に付着している縁部を備えないサンプル上で行われる。１つの実施形態では、不織布シート又はカフ若しくはトップシートは、弾性又は縁部を有しない、少なくとも２．５ｃｍ×２．５ｃｍの表面を有する。
【００３０】
本明細書のトップシート又はカフの不織布シートは、少なくとも２つの不織布層又は不織布ウェブを備える。１つの実施形態では、少なくとも１つの不織布層又は不織布ウェブは、皮膚に面する不織布層又は不織布ウェブ（すなわち、使用中、ユーザの皮膚に面し、ユーザの皮膚に接触してよい）であり、前記皮膚に面する不織布層又は不織布ウェブは、本明細書に記載するハンドル−ｏ−メーター（handle-o-meter）剛性／柔軟性試験で測定したとき、例えば、２０ｇ以下、好ましくは１６ｇ以下、更には１４ｇ以下又は１２ｇ以下の曲げ剛性を有する。
【００３１】
あるいは、又は更に、全体としての不織布シートは、３５ｇ未満、３０ｇ未満、２５ｇ未満、２０ｇ未満、又は１８ｇ未満の曲げ剛性を有してよい。
【００３２】
本明細書の不織布シート、不織布層、トップシート又はカフは、弾性材料又は、別の材料に付着している縁部を備える領域を除き（これらの後者は、試験に含むべきではない）、材料のどの部分でもこの値を有する場合、上記曲げ剛性を有すると考えられる。
【００３３】
本明細書で言及する場合の、及び、本明細書の方法で測定する場合の曲げ剛性は、特に指定しない限り、任意の方向の不織布層、不織布ウェブ又は不織布シートの剛性である。
【００３４】
１つの実施形態では、不織布シートは、皮膚に面する表面上に不織布ウェブを備え、又は皮膚に面する表面上に不織布ウェブを有する不織布層を備え、不織布ウェブは、平均繊維方向に繊維を備え、不織布層又は不織布シートは、前記繊維方向に上記で指定した値の曲げ剛性を有する。平均繊維方向に繊維を有する、好ましい皮膚に面するウェブは、スパンボンドウェブである。したがって、本明細書の不織布シートは、好ましくは、皮膚に面する表面上に不織布ウェブを有し、それは不織布層の一部であってよく、繊維方向に上記曲げ剛性を有するスパンボンドウェブのように、平均方向に繊維を備える。
【００３５】
平均繊維方向は、典型的には、吸収性物品の機械方向（ＭＤ）であってよい。
【００３６】
全体としての不織布シートは、好ましくは、上記のような曲げ剛性を有する柔らかいものである。
【００３７】
不織布シート又はトップシートは、１つの実施形態又は好ましい実施形態では、本明細書に記載の方法で測定するとき、少なくとも３０秒、好ましくは少なくとも５秒、又は更には少なくとも６０秒、及び所望により２００秒未満、１５０秒未満、又は１００秒未満の、低表面張力裏抜け値を有する。不織布シート、トップシートカフは、弾性材料又は、別の材料に付着している縁部を含む領域を除き、材料のどの部分でもこの値を有する場合、上記低表面張力裏抜け値を有すると考えられる。
【００３８】
上述のように、１つの実施形態では、不織布シート材料は、互いに付着しているが、互いに完全に（すなわち、１００％）積層している必要はない、２つ以上の不織布層を備える。１つの実施形態では、２つ（又はそれ以上）の不織布層は、（２層の隣接する不織布層の間の総重複領域の）６０％以下、４０％以下、又は更には２０％以下の付着面積を有する。１つの実施形態では、不織布層は、重複領域の側縁部に沿って、例えば、不織布ウェブ（周辺）のそれぞれ又は不織布ウェブ（周辺）の一方の縁部、及び所望により弾性要素が存在する領域に沿って互いに付着し、不織布層は、両方のウェブが存在するが互いに付着していない、例えば少なくとも０．５ｃｍ２の面積を備える。１つの実施形態では、不織布シートは、その少なくとも２つの層が互いに部分的にしか付着せず、付着していない（及び、弾性又は縁部を含まない）２．５ｃｍ×２．５ｃｍの領域が少なくとも１つ存在する。
【００３９】
少なくとも１つの不織布層、又はそれぞれの不織布層は、典型的には、互いに積層している、すなわち、各不織布層が積層不織布層である、２つ以上の不織布ウェブを備える。
【００４０】
１つの実施形態では、不織布シートは、１．０マイクロメートル以下の平均直径を有するナノ繊維を備える。好ましくは、不織布シートは、２つ以上の不織布層を含み、そのうち１又は複数が若しくはそれぞれがこのようなナノ繊維を備える不織布ウェブを備えてもよい。不織布シート又はその層は、例えば、少なくとも２ｇ／ｍ２のナノ繊維、少なくとも３ｇ／ｍ２、又は少なくとも５ｇ／ｍ２のナノ繊維を含んでよい。ナノ繊維は、０．８マイクロメートル以下、又は０．６マイクロメートル以下の平均直径を有してよい。ナノ繊維は、米国特許第６，３１５，８０６号及び米国特許第６，６９５，９９２号に記載されているように、既知のメルトフィブリル化法又はメルトフィルムフィブリル化法により作製してよい。好ましいナノ繊維ウェブ及びナノ繊維層は、同時係属出願の国際特許公開第２００５／１０３３５５号に記載されている。
【００４１】
１つの実施形態では、少なくとも１つの不織布層、又はそれぞれの不織布層は、典型的には、不織布層の重量で少なくとも５ｇ／ｍ２、例えば少なくとも５．７ｇ／ｍ２、又は少なくとも７ｇ／ｍ２であるが、典型的には、不織布層の重量で２０又は１５ｇ／ｍ２未満の重量水準で存在する、メルトブロー繊維の不織布ウェブを備える。
【００４２】
不織布シートの単位重量は、４５ｇ／ｍ２以下、４０ｇ／ｍ２以下、３５ｇ／ｍ２以下、又は３０ｇ／ｍ２以下であることが好ましい場合がある。不織布シートは、２つだけの不織布層を備え、それぞれの層が２つ以上の不織布ウェブを備えることが好ましい場合がある。不織布シート中に存在するそれぞれの不織布層の単位重量は、２４ｇ／ｍ２以下、２２ｇ／ｍ２以下、又は１８ｇ／ｍ２以下であることが好ましい場合がある。
【００４３】
不織布シートは、ワックスのような疎水性剤を含んでよい。不織布シート又はその１若しくは複数の層はまた、以下に記載するような、マスキング促進剤とも呼ばれる、バリア剤を備えてもよい。
【００４４】
上述のように、本明細書の好ましい不織布シートは、１つの表面上、例えば皮膚に面する表面上に、スパンボンド不織布ウェブを有する。不織布シートは、スパンボンドウェブ（Ｓ）及びメルトブロウンウェブ（Ｍ）及び／又はナノ繊維ウェブ（Ｎ）を備える不織布層を備えることが好ましく、それにより、不織布シートの外表面がスパンボンドウェブで形成されることが好ましい場合がある。
【００４５】
本明細書で好ましいのは、例えば５．７ｇｓｍ（ｇ／ｍ２）のメルトブロウン繊維を備える１７ｇｓｍのＳＭＭＭＳ又はＳＭＭＳ不織布層に付着している、例えば７．３ｇｓｍのメルトブロウン繊維を含む、２２ｇｓｍのＳＭＭＭＳ不織布層を備える不織布シートが挙げられる、１７又は２２ｇｓｍのＳＭＭＭＳ不織布層（例えば、各層がそれぞれ５．７又は７．３ｇｓｍのメルトブロウン水準である）に付着している（が、積層していない）別の１７又は２２ｇｓｍのＳＭＭＭＳ不織布層を備える不織布シート；１７ｇｓｍ又は２２ｇｓｍのＳＮＳ又はＳＭＳ不織布層に付着している、別の１７ｇｓｍ又は２２ｇｓｍのＳＭＳ又はＳＮＳ不織布層を備える不織布シート；１７ｇｓｍ又は２２ｇｓｍのＳＭＭＳ又はＳＭＭＭＳ不織布層（例えば、１層あたり３ｇｓｍ、５．７ｇｓｍ（ＳＭＭＳの場合）又は７．３ｇｓｍのメルトブロウン繊維を備える）に付着している、１７又は２２ｇｓｍのＳＭＭＳ不織布層である。
【００４６】
本明細書のトップシート又はカフは、好ましくは、以下に記載するように、１又は複数の弾性要素を備える。弾性要素は、好ましくは、本明細書の不織布シート材料に付着し、その結果、トップシート、カフ及び不織布シートは、本明細書で弾性領域（例えば、トップシート（２）の部分（３１））とも呼ばれる、弾性積層部を備える。好ましくは、弾性要素は、使用中皮膚に面しない若しくは皮膚に接触しない不織布シートの表面に付着する、及び／又は、不織布シート内に存在してよい２層の不織布層の間に付着する、及び／又は、不織布シートに付着し、弾性要素が使用中ユーザの皮膚に直接接触しないように、被覆ストリップ材料で被覆される。
【００４７】
弾性積層部（例えば、不織布シート及び少なくとも弾性を備える）は、（部分的に）収縮した／伸長していない状態のひだを備える、直線部を含んでよく、これは非常に小さなひだ、例えば、以下に記載の方法により測定するとき、１０００マイクロメートル未満、８５０マイクロメートル未満、又は６００マイクロメートル未満の平均ひだ高を有する直線部であってよい。これを測定するために、直線弾性積層部は、延伸ε＝０．５を有する長さ（例えば、収縮した長さが２０ｃｍである場合、積層部は３０ｃｍの部分的に伸長した長さに伸長する）に延伸（伸長）される。この積層部は、１３×１８ｍｍのレンズを用いて、製造業者の取扱説明書に従って、ＰＲＩＭＯＳ及びそのデータ収集ソフトウェアによって調べられる。これは、直線弾性積層部の平均ひだ高（及び密度）を計算する。（弾性積層体部分が３ｍｍを超える平均幅を有する場合、上記測定は、その全長に沿って積層体部分の幅の内側７０％だけで行われる。）
本明細書のトップシート（２）又はカフ内のこのような伸縮性部分又は領域（３１）は、多数の弾性材料の薄いストランド又は例えば弾性材料の単一バンドから形成してよい。カフは、カフの長手方向縁部、例えば、自由縁部の一部又は全体に沿ったこのような伸縮性領域を備えてもよい。
【００４８】
トップシートは、本明細書に記載する、開口部の各（長手方向）側縁部に少なくとも沿った又は近接した伸縮性領域又は弾性積層部を備えてもよい。
【００４９】
トップシートの伸縮性領域は、好ましくは、開口部の長手方向側縁部から、トップシートの前側及び／若しくは後側横断縁部に向かって、又は完全にトップシートの前側及び／若しくは後側横断縁部へ、延在する。伸縮性領域は、好ましくは開口部よりも長い。
【００５０】
カフ又はトップシートの伸縮性領域の幅は、典型的には、トップシート及び／又は物品の正確な寸法に応じて変動する、例えば、伸縮性領域は、約１ｍｍ〜４０ｍｍ、２ｍｍ〜３０ｍｍ、２ｍｍ、又は更には３ｍｍ〜２０ｍｍの平均幅を有してよい。弾性材料は、典型的には、任意の厚さ又は幅を有する単一ストランド、多数のストランド、又は、少なくとも２０マイクロメートル、より好ましくは少なくとも４０マイクロメートル、若しくは更には少なくとも６０マイクロメートル、典型的には約３００マイクロメートル以下、若しくは更には２００マイクロメートル以下、若しくは更には１５０マイクロメートル以下の、平均厚さ（例えば、ゲージ）を有する単一ストランド若しくはバンドの形である。本明細書に使用される使用可能な弾性材料としては、トレデガー社（Tredegar）から入手可能なライクラ（Lycra）、ＶＦＥ−ＣＤ、並びにフルフレックス社（Fulflex）（アイルランド、リムリック（Limerick））から入手可能なＬ−８６、Ｌ−８９、又はＬ−９０が挙げられる。
【００５１】
トップシートは、好ましくは、それぞれ長手方向に延在する開口部の側縁部の一部又は全体に沿った、少なくとも２つの伸縮性領域又は部分を備え、前記弾性領域又は部分、及び好ましくは前記側縁部は、トップシート又は物品のｙ軸について互いに鏡像である。
【００５２】
２つの対向する伸縮性領域の前端部分は、（トップシートの面内で）互いから離れる方向に曲がってもよく、その結果２つの対向する伸縮性領域の対向する前端部分の終縁部間の距離は、２つの対向する弾性領域の２つの長手方向中央点間の距離よりも大きく、同様に、２つの対向する伸縮性領域の対向する後端部分の終縁部間の距離は、２つの対向する弾性領域の長手方向中央点間の距離よりも大きくてもよい。
【００５３】
伸縮性領域の前端部分は、伸縮性領域の中央点を通りかつトップシートの長手方向軸線に平行な長手方向線と角度を有してよく、前記角度は、１０°〜４０°の間、又は好ましくは１７°〜３５°の間、又は更により好ましくは２０°〜３５°の間である。
【００５４】
伸縮性領域の後端部分はまた、伸縮性領域の中央部分を通りかつトップシートの長手方向軸に平行な長手方向線と角度を有してよく、前記角度は、１０°〜５０°の間、又は好ましくは１７°〜４５°の間、又は更により好ましくは２５°〜４５°の間である。
【００５５】
前端部分双方及び後端部分双方が上述の角度を有するとき、伸縮性領域は、本明細書に言及されるように、Ｘ字形を有し、Ｘ字形の実施形態は図１及び図２に例示される。
【００５６】
トップシートは、長手方向に、トップシートの中央３０％である、股部領域（２１）を有してよく、それは、例えば、開口部の長手方向側部又はその一部のいずれかに、典型的にはトップシートの長手方向側縁部と縁部に最も近接する（上記）伸縮性領域との間に、長手方向に延在する、股領域内の第２の伸縮性領域を備えてもよい。このような第２の伸縮性領域は、上記最も近接する伸縮性領域から離れて湾曲する、全体的な湾曲を有してよい。
【００５７】
好ましくは、本明細書の（第２の）伸縮性領域は、伸長した状態又は部分的に伸長した状態の伸縮性材料を、トップシート材料の一部、例えば本明細書に記載する不織布シート、又は、後にトップシート若しくは不織布シートの一部に付着する１又は複数のキャリア材料に付着させることにより、形成される。１つの実施形態では、弾性材料は、ユーザの皮膚と接触しないシートの表面領域上の本明細書に記載する不織布シート材料に付着する。及び／又は、それは、弾性材料の片側の第１の表面領域を有する不織布シートに付着し、保護シート材料は弾性材料の反対側の表面領域に付着する。及び／又は、それは弾性材料の第１の表面領域を有する前記不織布シートに付着し、次いで不織布シート材料は、弾性材料の反対側全体に、例えばＣ形状に折りたたまれ、伸縮性領域を形成する。
【００５８】
トップシートの長手方向側縁部は、好ましくは、当技術分野において既知のいずれかの付着手段によって、バックシートの長手方向側縁部に接合され又は付着して、長手方向に対向する付着領域を形成する。本発明の好ましい１つの実施形態では、トップシート及びバックシートは、ある場所では互いに直接付着し、別の場所では間接的に共に接合される。
【００５９】
好ましくは、本発明の吸収性物品は、耐垂れ下がり性（sag-tolerable）であり、それに加えて、欧州特許出願公開第１２７９３８８（Ａ）号に定義及び記載されているような、耐垂れ下がり性のトップシートを有することが好ましい。これは、物品により受容された身体排泄物の重量増加のためにバックシート及び吸収性コアが垂れ下がるときに、トップシートが垂れ下がらないこと、及びトップシートが着用者の肛門区域及び生殖器と一直線上にあるｚ方向整列と、典型的にはそのｘ及びｙ方向整列をも維持することを意味する。おむつ又はトレーニングパンツを含む、吸収性物品は、それに加えて、着用者が物品を適用した直後のバックシート及びコアがまだ垂れ下がっていないときと比べて、バックシート及びコアが垂れ下がったときに、トップシートを着用者の肛門及び／又は生殖器区域にほぼ同様に接触したまま又は近接したまま留める手段を有する。典型的には、バックシートの幾何学的中央点が４ｃｍ引き下げられるとき、トップシートが、０．５ｃｍを超えて、更には０．２５ｃｍ以下で下方に移動しない、若しくは、典型的にはトップシートが全く下方に移動しない程度に、及び／又は、開口部の長手方向側縁部が、０．５ｃｍ、又は０．２５ｃｍを超えてｘ及びｙ方向に移動しない、若しくは全く移動しないように、トップシートは耐垂れ下がり性である。
【００６０】
１つの実施形態では、吸収性物品は、本明細書のトップシートの吸収性コアの縁部上の股部点及び開口部の長手方向縁部上の股部点を画定する横断中央線を有し、長手方向縁部上の股部点からコア縁部上の股点部までの幅は、好ましくはコアの平均幅の少なくとも５０％、及び／又は、股部線（横断中央線）内のコアの幅の少なくとも５０％、好ましくは少なくとも６０％、少なくとも７０％、若しくは少なくとも８０％である。
【００６１】
好ましくは、開口部の幅を含むトップシートの平均幅は、上述した、トップシートの長手方向付着領域とバックシートとの間の平均距離より大きい。開口部の幅を含むトップシートの平均幅はまた、バックシートの平均幅よりも長いことが、望ましい場合もある。トップシートは、例えば、１個以上の横断方向及び／又はより好ましくは長手方向の折り畳みを有してもよく、これは、使用中に展開可能であって、トップシートを所定の位置に留めながら、コア及びバックシートの垂れ下がりを可能にする。
【００６２】
本明細書のトップシートは、液体若しくは尿透過性又は非透過性であってよい。トップシートは、一方向に液体又は尿透過性であるが、反対方向には液体又は尿非透過性である、例えば体液はトップシートを通っておむつの残りの部分へ浸透してよいが、着用者の皮膚に向かう反対方向には液体（尿）が全く又は限定量しか浸透できないことが好ましい場合がある。
【００６３】
しかしながら、非常に好ましい実施形態では、トップシート又は（使用中に着用者に面する）その表面積の少なくとも５０％超が、疎水性である。トップシートは、実質的に尿不浸透性かつ糞便不浸透性であってよい。
【００６４】
本明細書で好ましいトップシートは、低い表面エネルギー及び均一な孔径分布を有するとき、好ましくは同時係属中の欧州特許出願公開第１４１７９４５（Ａ）号に記載されている低い表面エネルギー値、孔径、及び空気透過率値を有するとき、尿不透過性及び糞便不透過性であり、したがって、本明細書で好適であると考えられる。好ましい実質的に不浸透性である材料は、少なくとも５、少なくとも６、少なくとも７、又は少なくとも８の撥アルコール性を有し、好ましくは２０〜３５ｍＮ／ｍの表面エネルギーを有し、所望により、１００°を超える水との接触角を有し、所望により、５０マイクロメートル未満、好ましくは３０マイクロメートル未満、又は２０マイクロメートル未満であるが、所望により少なくとも２マイクロメートル、又は少なくとも５マイクロメートルである平均孔径を有する。好ましくは、トップシートは、少なくとも３ダルシー、少なくとも１０ダルシー、少なくとも２０ダルシー、又は少なくとも３０ダルシーの空気透過率を有してもよい。
【００６５】
上述のように、本明細書の好ましいトップシートは、（着用者の皮膚をおむつの残りの部分に収容された液体から隔離するため）疎水性材料で作られる、又は、例えば疎水性の表面コーティングを用いて疎水性になるように処理される。好ましい疎水性表面コーティング又はバリア剤／マスキング促進剤は、例えば、同時係属出願の米国仮特許出願第６０／５４３，７８５号（２００４年２月１１日出願）に記載されている。好ましくは、疎水性表面コーティング又はマスキング促進剤は、１又は複数のシリコーンポリマー又はフッ素化ポリマーを備えてもよい。好適なシリコーンポリマーは、例えば、シリコーンＭＱ樹脂、ポリジメチルシロキサン（polydimethysiloxanes）、架橋シリコーン、シリコーン液体エラストマー、及びこれらの組合せからなる群から選択される。典型的には、このようなシリコーンポリマーの分子量は、少なくとも約４０００ＭＷ、好ましくは少なくとも約１０，０００ＭＷ、より好ましくは少なくとも約１５，０００ＭＷ、更により好ましくは少なくとも約２０，０００ＭＷ、最も好ましくは少なくとも約２５，０００ＭＷであるべきである。好ましいポリジメチルシロキサンは、ビニル末端ポリジメチルシロキサン（vinyl-terminated polydimethsiloxanes）、メチルヒドロゲンジメチルシロキサン、ヒドロキシル末端ポリジメチルシロキサン（hydroxyl-terminated polydimethysiloxanes）、有機変性（organo-modified）ポリジメチルシロキサン、及びこれらの組合せから成る群から選択される。好適なフッ素化ポリマーは、テトラフルオロエチレン及び／又はペルフルオロ化アルキル鎖を含有するテロマー及びポリマーから成る群から選択される。例えば、デュポン（Dupont）から商品名ゾニル（Zonyl）（登録商標）として市販されているフッ素化界面活性剤が、本明細書で用いるのに好適である。特に、ゾニル（Zonyl）（登録商標）３２１、３２９、８７４０、９０２７、及び９３６０が、本発明で使用するのに非常に適している更に、マイクロパウダーのようなフッ素系添加物（fluroadditives）が挙げられる、他のゾニル（Zonyl）（登録商標）材料が、本明細書で有用である場合がある。これらとしては、ゾニル（Zonyl）（登録商標）ＭＰ１１００、ＭＰ１２００、ＭＰ１４００、ＭＰ１５００Ｊ、ＭＰ１６００Ｎ、ＴＥ−３６６７Ｎ（これは水分散性である）が挙げられるが、これらに限定されない。好ましくは、コーティングは、アミノシリコーンを含まない。
【００６６】
これらの材料は、好ましくは、少なくとも約０．０１ｇｓｍ（グラム（材料）／平方メートル（トップシート））〜、より好ましくは少なくとも約０．０５ｇｓｍ〜、最も好ましくは少なくとも約０．１ｇｓｍ〜の量で、トップシート上に堆積する。
【００６７】
トップシートのいかなる部分も、当該技術分野において既知のローション又はパウダーでコーティングしてよい。好ましくは、第１伸縮性領域上に、更に好ましくは、第２伸縮性領域上に少なくともローションが存在してもよい。１個の伸縮性領域上に使用されるローションは、別の伸縮性領域上又はトップシートの残りの部分上に使用されるローションと異なってもよい。ローションの例としては、ローションがその弾性材と適合性があり、弾性材を破壊しない又はその弾性を低下させないという条件で、米国特許第５，６０７，７６０号、米国特許第５，６０９，５８７号、米国特許第５，６３５，１９１号、米国特許第５，６４３，５８８号、国際特許公開第９５／２４１７３号に記載されるものが挙げられる。
【００６８】
吸収性物品はまた、当技術分野において知られているような、典型的には液体不透過性であるバックシートを備える。幾つかの実施形態では、液体不透過性のバックシートは、約０．０１ｍｍ〜約０．０５ｍｍの厚さを有する、熱可塑性フィルムのような薄いプラスチックフィルムを備える。好適なバックシート材料は、典型的には、おむつから蒸気を逃がすが、一方排泄物がバックシートを通り抜けることを防ぐ、通気性材料を備える。好適なバックシートフィルムとしては、インディアナ州テレホート（Terre Haute,IN）のトレデガー・インダストリーズ社（Tredegar Industries Inc）により製造され、商品名Ｘ１５３０６、Ｘ１０９６２、及びＸ１０９６４として販売されているものが挙げられる。
【００６９】
バックシート又はそのいずれかの部分は、１方向又はそれ以上に弾性的に延伸性であってもよい。
【００７０】
バックシートは、当技術分野において既知の付着手段によって、トップシート、吸収性コア、又はおむつの任意の他の要素に、付着させる又は接合してよい。トップシート及びバックシートの長手方向側縁部が互いに直接付着し、しかしトップシート及びコアの長手方向縁部が互いに付着しないことが、非常に好ましい場合がある。
【００７１】
トップシート及びバックシートだけでなく、本明細書の生殖器用カバーシートをも付着させるための付着手段としては、米国特許第４，５７３，９８６号にて開示されているように、接着剤の均一連続層、接着剤のパターン付き層、又は接着剤の分離線、らせん、若しくはスポットの配列を挙げることができる。満足のいくものであることが判明している接着剤は、ミネソタ州セントポール（St. Paul）のＨ．Ｂ．フラー社（H.B.Fuller Company）によって製造され、ＨＬ−１６２０及びＨＬ−１３５８−ＸＺＰとして市販されている。あるいは、付着手段は、熱接着、圧力接着、超音波接着、動的機械的接着、又は当該技術分野で既知の他の任意の好適な付着手段、若しくはこれら付着手段の組合せを含んでもよい。
【００７２】
吸収性コアは、粉砕木材パルプ、縮みセルロース詰め物；コフォームを含むメルトブロウンポリマー；化学的に剛化、変性、又は架橋されたセルロース繊維；ティッシュラップ及びティッシュラミネートを含むティッシュ；吸収性フォーム；吸収性スポンジ；超吸収性ポリマー；吸収性ゲル材料；又は任意の他の既知の吸収性材料若しくは材料の組合せのような、一般に圧縮性であり、順応性があり、着用者の皮膚を刺激することなく、尿を吸収及び保持可能である、いかなる吸収性材料を含んでもよく；吸収性コア内容物（例えばコアラップを除く）の８０重量％超の吸収性ゲル材料を備え、及び、好ましくはエアフェルトを含まない、吸収性格納層を有する吸収性コアであることが好ましい。
【００７３】
吸収性物品はまた、排泄物、典型的には糞便物質を受け入れ、及び／又は不動化することが可能な、トップシートと吸収性コアとの間に配置された副層（上述の身体に面するライナと同一であってもよい）を更に含んでよい。副層として使用するのに好適な材料としては、大径気泡連続発泡体、マクロ孔質耐圧縮性不織布嵩高品、連続及び独立気泡発泡材の大粒子形（マクロ及び／又はミクロ孔質）、嵩高不織布、ポリオレフィン、ポリスチレン、ポリウレタンの発泡体若しくは粒子、多数の垂直配向の好ましくはループ状繊維ストランド、又は生殖器用カバーシートに関して上述されたような孔あき成形フィルムを含む構造体を挙げることができる。（本明細書で使用するとき、「ミクロ孔質」という用語は、毛管現象によって流体を移送することができるが、５０マイクロメートル超の平均孔径を有する材料を指す。「マクロ孔質」という用語は、流体を毛管移送するには大き過ぎる孔を有し、一般に直径が約０．５ｍｍ（平均）を超える孔を有し、より具体的には直径が約１．０ｍｍ（平均）を超えるが、典型的には１０ｍｍ未満、又は更には６ｍｍ（平均）未満の孔を有する材料を指す。
【００７４】
本明細書の吸収性物品は、好ましくは、使い捨ての成人若しくは乳幼児用のおむつ又はトレーニングパンツ／プルアップパンツである。本明細書のおむつは、好ましくは、当技術分野において既知のように、通常はウエストバンドに接合された締結装置を有する。好ましい締結装置は、締結タブ及びランディング領域を備え、締結タブは、おむつの後側区域に付着し又は接合され、ランディング領域は、おむつの前側区域の一部である。
【００７５】
好ましくは、本発明の物品（例えば、おむつ）は、その包装材料内に詰められたとき、２つの横断方向の折り畳みを含んでもよく、その結果、使用のためにユーザ又は世話人が開いたときに、物品（例えば、おむつ）はＵ形状であり、適用するのがより容易である。
【００７６】
試験方法
ハンドル−ｏ−メーター曲げ剛性試験
この方法は、本明細書に記載したような、不織布層又は不織布シートの曲げ剛性（及びそれにより、柔軟性）を決定するのに役立ち、材料のたわみ性及び表面摩擦を反映する。この試験では、不織布は、プランジャの使用によりスロットを通じて変形し、必要な力が測定される。この方法は、ＩＮＤＡ標準試験ＩＳＴ  ９０．３−９２に基づく。
【００７７】
２５ｍｍ×２５ｍｍ（長さ１インチ×幅１インチ）の不織布シート又は不織布層のサンプル材料を切断し、ＩＮＤＡ試験に記載のように湿度６５％、２１℃で調湿する。サンプルは、他の材料に付着している自由形弾性材料又は縁部である。１つの実施形態では、使用中皮膚と接触する不織布ウェブ又は不織布層の平均繊維方向を測定することができ、これはＹ方向（例えば、使用中、典型的には、吸収性物品のＭＤ方向に対応する）であろう。
【００７８】
ツイン−アルバート・インスツルメンツ（Twingh- Albert Instruments Co.）（米国フィラデルフィア（Philadelphia））から入手可能な、ハンドル−ｏ−メーター（handle-o-meter）を、その使用説明書に記載のように較正する。
【００７９】
スロット幅は６．３５ｍｍである。
【００８０】
サンプルをプランジャの下、かつ、使用中上向きで皮膚に接触する又は皮膚に面する表面を有するスロット上に置く。第１の寸法は、スロットに対して垂直であり、これは、本明細書で曲げ剛性を報告するために、試験される方向である。１つの実施形態では、これは、皮膚に面する表面、例えばスパンボンド層の平均繊維方向である。サンプルをスロットの中心にし、試験を実行し、力を測定する。この値に４を乗じ（例えば、１０．２ｃｍ×１０．２ｃｍ（４インチ×４インチ）のサンプルに標準化する）、曲げ剛性として、本明細書ではグラムで報告する。
【００８１】
静水頭（ヒドロヘッド）
本明細書で使用するとき、静水頭（ヒドロヘッドとも呼ばれる）は、低表面張力の液体、すなわち、４９ｍＮ／ｍの液体（溶液）を用いて測定される。
【００８２】
この液体は、以下に記載のように調製する。
【００８３】
この試験は、Ｉｎｄａ／Ｅｄａｎａ試験ＷＳＰ  ８０．６（０５）に一致する、同時係属出願、国際特許公開第２００５／１１２８５４（Ａ）号に記載のように実施する。しかしながら、水圧（以下から）は、６ｋＰａ／分（６０ｍｂａｒ／分）の速度で上昇する。
【００８４】
５ｃｍ２のサンプルは、本明細書の不織布シート、カフ又はトップシートからとる。サンプルは、他の材料に連結する弾性材料又は縁部を含まないべきである。
【００８５】
用いられる試験用頭部の直径は２．５ｃｍであり、用いられる保護スリーブの直径は２．２ｃｍである。
【００８６】
試験は、このサンプル上で実施され、静水頭値が得られ、本明細書で言及される。
【００８７】
４９ｍＮ／ｍ（ダイン／ｃｍ）の液体調製：
１０Ｌの栓付き缶を２Ｌのポリエチレンで３回、次いで２Ｌの蒸留／脱イオン水で３回、完全に洗浄する。
【００８８】
次いで、１０Ｌの蒸留／脱イオン水を注入し、清浄な攪拌棒を用いて２時間攪拌し、その後栓から水を放出する。
【００８９】
５Ｌのガラス瓶を水で６回、次いで蒸留／脱イオン水で６回洗浄する。
【００９０】
次いで、３０．００ｇのコール酸ナトリウム及び５Ｌの蒸留／脱イオン水を、洗浄した５Ｌのガラス瓶中に入れる。（コール酸ナトリウムは、例えば、カルバイオケム（Calbiochem）により供給される、カタログ番号２２９１０１等の、＞９９％のＴＬＣ純度を有するべきである）これを清浄な攪拌棒を用いて、コール酸ナトリウムが視覚的に溶解するまで、約５分間攪拌する。
【００９１】
攪拌棒を、磁気スティックを用いてガラス瓶から取り出し（溶液に触れることなく）、次いでコール酸ナトリウム溶液を１０Ｌの缶に注ぎ、更に最終溶液の濃度が３ｇ／Ｌになるように蒸留／脱イオン水を添加する。これを更に攪拌棒を用いて２時間攪拌し、次いで用いる。
【００９２】
この溶液の調製及びその使用は、それが用いられる試験のために規定された温度で行われ、温度が規定されない場合、２０℃で維持される。
【００９３】
溶液の表面張力を測定し、それは４９ｍＮ／ｍ（＋／−２）であるべきである。（表面張力は、クリュス（Kruss）Ｋ１２張力計を用いて、方法：ＡＳＴＭ  Ｄ１３３１−５６（「表面活性剤の溶液の表面及び界面張力のための標準的な試験方法」）により測定してよい。）
低表面張力裏抜け値方法
本明細書で言及する低表面張力裏抜け値は、低表面張力の液体（以下を参照）が用いられ、及び、２５ｍｍ×２５ｍｍ（１インチ×１インチ）のサンプルが用いられる場合を除き、エダナ法（Edana method）ＷＳＰ７０．３（０５）により得ることができる。サンプルは、他の材料に連結する弾性材料又は縁部を含まないべきである。
【００９４】
このサンプルの測定から得られる値を本明細書で報告する。
【００９５】
低表面張力液体は、以下のように調製される３２ｍＮ／ｍの表面張力を有する液体である。
【００９６】
清浄なフラスコ内で、２．１００ｇのトリトン（Triton）−Ｘ−１００を５００ｍＬの蒸留水（既にフラスコ内にある）に添加し、次いで５０００ｍＬの蒸留水を添加する。溶液を３０分間混合し、次いで表面張力を測定し、それは３２ｍＮ／ｍであるべきである。
（表面張力は、クリュスＫ１２張力計を用いて、方法：ＡＳＴＭ  Ｄ１３３１−５６（「表面活性剤の溶液の表面及び界面張力のための標準的な試験方法」）により測定してよい。）
【００９７】
本発明の特定の実施形態について例証し説明したが、本発明の範囲内にある様々な他の変更及び修正が当業者には明白であろう。本明細書に値が規定されている特定の特性又は寸法によって規定されている各実施形態には、機能的に同等の特性又は寸法を備えている実施形態が含まれると理解すべきである。例えば０．５ｃｍの寸法は、「約０．５ｃｍ」を意味すると理解すべきである。
【図１】
2010516376.tif 000003
【図２】
2010516376.tif 000004
【国際調査報告】
2010516376.tif 000005
2010516376.tif 000006
2010516376.tif 000007